(57)【特許請求の範囲】
【請求項１】
扉枠（２）に取り付けられた捕捉装置（６）と扉（３）の戸先側の端部近傍に取り付けられた被捕捉装置（７）とを有し、前記扉（３）が閉まる際に前記捕捉装置（６）に水平方向に回動自在に設けられた扉アーム（２０）で前記被捕捉装置（７）の被捕捉体（３１）を捕捉し、その状態で前記扉アーム（２０）を前記扉枠（２）側に回動させて前記被捕捉装置（７）を引き寄せることにより、前記扉（３）を閉扉状態に導く閉扉装置（１）であって、
前記捕捉装置（６）は、
前記扉（３）を閉じる向きへの前記扉アーム（２０）の急激な回動を抑制する緩衝機構（６０）を有し、
前記被捕捉装置（７）は、
前記扉（３）の板面に固定して取り付けられた支持体（３０）と、
前記支持体（３０）の先端部から上方に突き出ている前記被捕捉体（３１）と、
を有し、
前記扉アーム（２０）は、
前記被捕捉体（３１）よりも前記扉（３）の吊元側の位置を支軸にして回動可能であり、且つ、
前記扉（３）の閉じられる向きへの回動に伴って前記被捕捉体（３１）を受け入れて捕捉するガイド溝（２２）をその下面部に有し、
前記ガイド溝（２２）は、
前記被捕捉体（３１）を受け入れるべく前記扉アーム（２０）の先端に開口した受入部（２２ａ）と、
前記扉（３）の閉止時に前記被捕捉体（３１）が位置する終端部（２２ｂ）と、
前記受入部（２２ａ）と前記終端部（２２ｂ）とを結ぶ中間部（２２ｃ）と、を有し、
前記受入部（２２ａ）は、前記扉アーム（２０）の回動方向において前記終端部（２２ｂ）よりも前記扉（３）側に位置しており、
前記中間部（２２ｃ）は、前記受入部（２２ａ）の終端から滑らかに湾曲して前記終端部（２２ｂ）に延びており、且つ、これに沿う前記被捕捉体（３１）の軌跡が前記扉（３）の回動による前記被捕捉体（３１）の軌跡と一致しないように形成されている、閉扉装置。
【請求項２】
前記受入部（２２ａ）は、前記扉アーム（２０）の回動半径方向に対して平行に延びている、請求項１記載の閉扉装置。
【請求項３】
請求項１又は２に記載の閉扉装置を備えたことを特徴とする扉装置。
【発明の詳細な説明】
【技術分野】
【０００１】
本発明は、玄関や部屋の出入口を開閉する扉を強制的に且つ静かに閉めるための閉扉装置に関するものである。
【背景技術】
【０００２】
従来の閉扉装置の構成例を図１３に示す。図１３に示す閉扉装置は、扉３の吊り先（戸先）側の上隅に取り付けられた被捕捉装置７と扉枠２の上枠部材２Ａに取り付けられた捕捉装置１０１とを有する。被捕捉装置７は、扉３の板面に固定された本体３０と、本体３０の先端部から上方に突き出している被捕捉体３１とを有する。捕捉装置１０１は、扉枠２の上枠部材２Ａに固定された固定要素４０と、固定要素４０に水平方向に回動自在に支持された扉アーム１０２とを備えている。扉アーム１０２は、扉３が閉まる際に被捕捉体３１を受け入れて捕捉するガイド溝１０３をその下面部に有している。ガイド溝１０３は、扉アーム１０２の先端から回転半径方向に沿って直線状に延びている。被捕捉体３１を捕捉した後、扉アーム１０２を扉枠２側に回動させることにより、被捕捉体３１をガイド溝１０３に沿って摺動させながら扉枠２側に引き寄せて、扉３を閉扉状態に導くことができる。捕捉装置１０１内には、扉アーム１０２の回動軸に常に抵抗力を作用させて扉アーム１０２の急激な回動を制動する緩衝機構が設けられており、その働きによって扉３が静かに閉じられる。
【先行技術文献】
【特許文献】
【０００３】
【特許文献１】特願２００９−２５６３４４号
【発明の概要】
【発明が解決しようとする課題】
【０００４】
しかし、上述した従来の閉扉装置は、扉３の吊り先（戸先）側に設けられている被捕捉体３１を扉枠２に設けられた扉アーム１０２で捕捉する構造上、扉３が閉まる直前ぎりぎりにならないと捕捉装置１０１の緩衝機構による制動力を扉３に作用させることができない。このため、扉３は閉まる直前ぎりぎりまで無制動で回動し、閉まる直前から急に制動力を受けてゆっくりと閉止状態に導かれる。
【０００５】
捕捉装置１０１の緩衝機構による制動力が効き始めるタイミングを早める方法として、扉アーム１０２の全長を従来よりも大きくして、被捕捉体３１を従来よりも手前で捕捉できるようにすることが考えられる。しかし、扉アーム１０２の全長を大きくすることは、捕捉装置１０１の大型化に直結するため、捕捉装置１０１の設置スペースの制約上得策ではない。
【０００６】
本発明が解決しようとする課題は、捕捉装置の緩衝機構による制動力を従来よりも早いタイミングで扉に作用させて扉の閉まり際における急峻な回動を抑制できる閉扉装置をその捕捉装置を大型化することなく実現すること、そして、このような閉扉装置を備えた扉装置を提供することにある。
【課題を解決するための手段】
【０００７】
上記課題を解決するために、本発明の閉扉装置は、扉枠に取り付けられた捕捉装置と扉に取り付けられた被捕捉装置とを有し、前記扉が閉まる際に前記捕捉装置に水平方向に回動自在に設けられた扉アームで前記被捕捉装置の被捕捉体を捕捉し、その状態で前記扉アームを前記扉枠側に回動させて前記被捕捉装置を引き寄せることにより、前記扉を閉扉状態に導く閉扉装置であって、
前記捕捉装置は、
前記扉を閉じる向きへの前記扉アームの急激な回動を抑制する緩衝機構を有し、
前記被捕捉装置は、
前記扉の板面に固定して取り付けられた支持体と、
前記支持体の先端部から上方に突き出ている前記被捕捉体と、
を有し、
前記扉アームは、前記扉の閉じられる向きへの回動に伴って前記被捕捉体を受け入れて捕捉するガイド溝をその下面部に有し、
前記ガイド溝は、
前記被捕捉体を受け入れるべく前記扉アームの先端に開口した受入部と、
前記扉の閉止時に前記被捕捉体が位置する終端部と、
前記受入部と前記終端部とを結ぶ中間部と、を有し、
前記受入部は、前記扉アームの回動方向において前記終端部よりも前記扉側に位置していることを特徴とするものである。
【０００８】
また、上記課題を解決するために、本発明の扉装置は、本発明の閉扉装置を備えたことを特徴とする。
【０００９】
上記のように構成したことにより、被捕捉装置が扉アームと係合していない時、すなわち、扉が扉アームと被捕捉装置とが係合し得る開度よりも大きく開いている時、扉アームは待機姿勢に保持されている。扉を閉じる際、扉と共に被捕捉装置が捕捉装置に接近し、扉の開度が所定の開度になった時点で、被捕捉装置の被捕捉体が扉アームのガイド溝に受け入れられ捕捉される。その後、扉アームを扉枠側に回動させることにより、被捕捉体がガイド溝に沿って摺動しながら扉枠側に引き寄せられ、扉が強制的に閉扉状態に導かれる。この際、扉アームの回動を抑制するように緩衝機構による制動力が働くことにより、扉の急峻な動きが防止される。これにより、扉が強制的に且つ静かに閉められる。
【００１０】
扉が閉まる際に被捕捉体を受け入れて捕捉するガイド溝が、被捕捉体を受け入れるべく扉アームの先端に開口した受入部と、扉の閉止時に被捕捉体が位置する終端部と、当該受入部と当該終端部とを結ぶ中間部と、を有し、当該受入部が、扉アームの回動方向において当該終端部よりも扉側に位置していることにより、扉アームの全長を従来のものよりも大きくすることなく、被捕捉体を従来よりも手前で捕捉することができる。
【００１１】
本発明において、前記中間部は、前記受入部の終端から滑らかに湾曲して前記終端部に延びており、且つ、これに沿う前記被捕捉体の軌跡が前記扉の回動による前記被捕捉体の軌跡と一致しないように形成されていることが望ましい。この構成により、扉アームの回動に伴って被捕捉体をガイド溝に沿って円滑に摺動させながら扉枠側に引き寄せるとともに、扉に対してその急峻な回動を防止する制動力を常に作用させることができる。
【発明の効果】
【００１２】
本発明の扉装置及び閉扉装置によれば、捕捉装置を大型化することなく、捕捉装置の緩衝機構による制動力を従来よりも早いタイミングで扉に作用させて扉の閉まり際における急峻な回動を抑制できる。
【図面の簡単な説明】
【００１３】
【図１】本発明の閉扉装置を備えた扉装置の形態例を示す部分斜視図
【図２】扉装置を別の向きから視た部分斜視図
【図３】閉扉装置の捕捉装置が取り付けられている部分を示す部分断面図
【図４】閉扉装置の捕捉装置の分解斜視図
【図５】扉装置の部分正面図
【図６】図５のＡ−Ａ断面図
【図７】（Ａ）は閉扉装置の扉アームが待機姿勢にあるときの捕捉装置内の状態を示す平面図  （Ｂ）は閉扉装置の扉アームが収納姿勢にあるときの捕捉装置内の状態を示す平面図
【図８】（Ａ）は本発明の閉扉装置による閉扉動作が開始される直前における扉装置を下方から視た要部断面図  （Ｂ）は従来の閉扉装置による閉扉動作が開始される直前における扉装置を下方から視た要部断面図
【図９】（Ａ）及び（Ｂ）は本発明の閉扉装置による閉扉動作の中間状態を示す要部概念図
【図１０】（Ａ）及び（Ｂ）は参考例の閉扉装置による閉扉動作の中間状態を示す要部概念図
【図１１】（Ａ）は本発明の閉扉装置による閉扉動作が開始される直前における扉装置を下方から視た断面図  （Ｂ）は本発明の閉扉装置による閉扉動作が終了した後における扉装置を下方から視た断面図
【図１２】（Ａ）、（Ｂ）及び（Ｃ）は扉アームを待機姿勢に復帰させる際に行われる動作の説明図
【図１３】従来の閉扉装置が取り付けられた扉装置を例示する部分斜視図
【発明を実施するための形態】
【００１４】
以下、本発明を実施するための最良の形態について説明する。
図１は本発明の閉扉装置を備えた扉装置の実施形態の一例を示す部分斜視図である。図２は図１の扉装置を別の向きから視た部分斜視図である。
【００１５】
扉装置１０は、家屋の出入口等、建物の開口部に嵌め付けて設けられた扉枠２と、扉枠２に水平方向に回動自在に設けられた扉３とを有する。扉枠２は、建物の開口部の上縁部に設けられた上枠部材２Ａと、当該開口部の左右両側縁部に設けられた縦枠部材２Ｌ、２Ｒとを有している。扉３は、二つの縦枠部材２Ｌ、２Ｒのうちの一方（図示右側）の縦枠部材２Ｒに蝶番５を介して回転可能に連結されている。扉枠２の他方（図示右側）の縦枠部材２Ｌ及び上枠部材２Ａには、扉３を閉めた時に扉３の縁部が当たる戸当り４Ａ、４Ｂが設けられている。
【００１６】
閉扉装置１は、上枠部材２Ａに取り付けられた捕捉装置６と、扉３に取り付けられた被捕捉装置７とを有している。捕捉装置６は、上枠部材２Ａの蝶番５が取り付けられている縦枠部材２Ｒとは反対側の縦枠部材２Ｌの近傍に取り付けられている。
【００１７】
被捕捉装置７は、捕捉装置６の設置位置に対応させて、扉３の裏面の上端近傍の蝶番５が設けられていない方（戸先側）の端部近傍に取り付けられている。被捕捉装置７は、扉３の板面に固定して取り付けられた支持体３０と、支持体３０の先端部から上方に突き出ている棒状の被捕捉体３１と、を有している。被捕捉体３１は、支持体３０に内蔵されたコイルスプリング（図示省略）によって下方から弾力的に支えられている。
【００１８】
捕捉装置６は、扉枠２の開口部の上縁部に固定された固定要素４０と、固定要素４０に水平方向に回動可能に支持され且つ扉３の回動に伴って被捕捉装置７と係合したり離脱したりするように構成された扉アーム２０と、被捕捉装置７が扉アーム２０と係合していない時には扉アーム２０を被捕捉装置７との係合を待つ待機姿勢（図７（Ａ））に保持するべく、被捕捉装置７が扉アーム２０と係合した後には扉アーム２０を扉３を閉じる向きに強制的に回動させるべく、扉アーム２０に弾性力を作用させる付勢機構５０と、扉アーム２０が扉３を閉じる向きに回動している時にはその回動を抑制するべく、それとは逆向きに扉アーム２０が回動している時にはその回動を促進するべく、扉アーム２０に力を作用させる直動式の緩衝機構６０と、を有している。
【００１９】
固定要素４０は、扉枠２に固定される偏平な直方体形状の筐体７０を有する。そして、筐体７０内に、扉アーム２０と付勢機構５０と緩衝機構６０が共に収容されている。
筐体７０は、上枠部材２Ａの戸当り４Ｂの一部を欠くことにより形成されたスペースＳに取り付けられている。筐体７０の上面部には、上枠部材２Ａの戸当り４Ｂが嵌め付けられる溝２ａに丁度嵌る形状・寸法の突起部７１ｅが形成されている（図４、図６参照）。
筐体７０の扉３と対面する部分には、扉アーム２０が出入りする開口部７５が形成されている。筐体７０の底部には、扉３を閉止したときに被捕捉装置７の被捕捉体３１を受け入れる切欠部７６が形成されている。
【００２０】
扉アーム２０は、その回動中心から半径方向に延在して筐体７０の開口部７５から出没するアーム本体部２１を有する。アーム本体部２１の下面側にはガイド溝２２が形成されており、扉アーム２０が待機姿勢（図７（Ａ））の時に、扉３の閉じられる向きへの回動に伴って被捕捉体３１の先端部がガイド溝２２内に扉アーム２０の先端から受け入れられるように構成されている。ガイド溝２２は、被捕捉体３１を受け入れるべく扉アーム２０の先端に開口した受入部２２ａと、扉３の閉止時に被捕捉体３１が位置する終端部２２ｂと、受入部２２ａと終端部２２ｂとを結ぶ中間部２２ｃと、を有する。受入部２２ａは、扉アーム２０の回動方向において終端部２２ｂよりも扉３側に位置している。受入部２２ａは、扉アーム２０の先端から回動半径方向に対して平行に延びており、中間部２２ｃは、受入部２２ａの終端から滑らかに湾曲して終端部２２ｂに延びている。
【００２１】
また、アーム本体部２１の扉３に面する側部には、扉アーム２０が筐体７０内に完全に収容されている状態（図７（Ｂ）の状態）においても、扉３を閉めることによって被捕捉体３１をガイド溝２２内に案内できるようにするためのガイド面２０ａが形成されている。ガイド面２０ａは、円弧状に湾曲した滑らかな凹曲面である（図４参照）。
【００２２】
扉アーム２０は、付勢機構５０による弾性力と緩衝機構６０による緩衝力とが作用するカム部１４を有している。付勢機構５０と緩衝機構６０はカム部１４を挟んで互いに直列に並べて設けられており、付勢機構５０による弾性力と緩衝機構６０による緩衝力がカム部１４の両側から互いに逆向きに作用する構造になっている。カム部１４は、アーム本体部２１の基部に一体化して設けられている。
【００２３】
付勢機構５０は、筐体７０の長手方向に直線的に進退移動する第１スライダ５１と、カム部１４の第１カム面１４Ａに第１スライダ５１を介して弾性反発力を作用させるスプリング５２とを有する。
【００２４】
緩衝機構６０は、筐体７０の長手方向に直線的に進退移動する第２スライダ６１と、カム部１４の第２カム面１４Ｂに第２スライダ６１を介して制動力を作用させる直動式のダンパ６２とを有する。ダンパ６２は、並列に配置した２つのダンパユニット６２Ｕ、６２Ｕからなる。各ダンパユニット６２Ｕは、出力軸６２ａと、出力軸６２ａを軸方向に進退自在に保持しているユニット本体６２ｂとを有する。ユニット本体６２ｂ内には、出力軸６２ａを伸張方向に付勢しているスプリング（図示省略）と、出力軸６２ａの縮長方向への移動に制動力を作用させるオイルなどの抵抗流体（図示省略）が収容されている。緩衝機構６０は、扉アーム２０が扉３を閉じる向きに回動している時に、カム部１４の第２カム面１４Ｂの回動に伴って水平方向に圧縮され反発することにより制動力を発生する。
【００２５】
扉アーム２０は、扉３が閉止されている時（図１１（Ｂ）参照）には、その全体が筐体７０の中にあり、待機姿勢の時には、その先端側が筐体７０の開口部７５から扉３側に出ている。
【００２６】
つぎに、捕捉装置６の構成及び動作について図４及び図７を参照してより詳細に説明する。
【００２７】
上述したように捕捉装置６は、扉枠の上枠部材２Ａに固定された固定要素４０を有している。固定要素４０は、扉枠の上枠部材２Ａに固定された偏平な直方体形状の筐体７０と、筐体７０に被せて取り付けられるカバー８０とを有する。
【００２８】
筐体７０は、その上部を成す上側筐体部材７１と下部を成す下側筐体部材７２とを有する。カバー８０は、下側筐体部材７２の外側に被せて設けられる。カバー８０には、筐体７０の開口部７５と重なる位置に、アーム本体部２１が出入りする開口部７８が形成されている。カバー８０の底部には、扉３を閉止したときに被捕捉装置７の被捕捉体３１を受け入れる切欠部７７が形成されている。
【００２９】
上側筐体部材７１の上板部７１ａと下側筐体部材７２の下板部７２ａには、第１スライダ５１を案内するための第１ガイドスリット７１ｂ、７２ｂと、第２スライダ６１を案内するための第２ガイドスリット７１ｃ、７２ｃと、扉アーム２０を回動可能に支持するための支軸２５が挿通される軸孔７１ｄ、７２ｄと、上下の筐体部材７１、７２同士を固定するための留めピン７３が挿通される留め孔７１ｇ、７２ｇとが、それぞれ上下に連通する位置に形成されている。
【００３０】
上側筐体部材７１の左右両端には、上板部７１ａの両端部を下方に屈曲させて形成された端板部７１Ｌ、７１Ｒと、上板部７１ａの側縁部を上方にＬ字形状に屈曲させて形成された突起部７１ｅ、７１ｅが設けられている。突起部７１ｅ、７１ｅは、左右方向（上枠部材２Ａの長手方向）二カ所に設けられている。突起部７１ｅ、７１ｅは、上枠部材２Ａの戸当り４Ｂが嵌め付けられる溝２ａ（図６参照）に丁度嵌る形状・寸法に設計されている。突起部７１ｅ、７１ｅには、上側筐体部材７１を上枠部材２Ａに適宜位置決めして螺子７４で締着固定するための長孔７１ｆ、７１ｆが形成されている。
【００３１】
第１スライダ５１の上下両面には、第１ガイドスリット７１ｂ、７２ｂに摺動自在に嵌合するガイド突起５１ａ、５１ｂが形成されている。第１スライダ５１の基端部には、スプリング５２の先端部が挿入される保持孔５１ｃが形成されている。スプリング５２は、その先端部を保持孔５１ｃに挿入した状態で、第１スライダ５１と上側筐体部材７１の一方（この例では左側）の端板部７１Ｌとの間に圧縮された状態で設けられている。第１スライダ５１の先端部には、第１スライダ５１のスライド方向と直交する先端面５１ｄと、この先端面５１ｄに対して約４５度傾斜した傾斜面５１ｅとが形成されている。傾斜面５１ｅは先端面５１ｄから滑らかに連続して開口部７５側に形成されている。
【００３２】
第２スライダ６１の上下両面には、第２ガイドスリット７１ｃ、７２ｃに摺動自在に嵌合するガイド突起６１ａ、６１ｂが形成されている。第２スライダ６１の基端部には、ダンパ６２の出力軸６２ａの先端部が挿入される保持孔（図示省略）が形成されている。ダンパ６２は、その出力軸６２ａの先端部を保持孔に挿入した状態で、第２スライダ６１と上側筐体部材７１の一方（この例では右側）の端板部７１Ｒとの間に圧縮された状態で設けられている。第２スライダ６１の先端部には、第２スライダ６１のスライド方向に対して約６０度傾斜した傾斜面６１ｅが形成されている。第２スライダ６１の傾斜面６１ｅは、第１スライダ５１の傾斜面５１ｅに対して逆向き（手前に向かって互いに開く向き）に傾斜している。
【００３３】
扉アーム２０は基部に軸孔２３を有しており、その軸孔２３に嵌め付けて固定された回転軸受け２４を介して支軸２５に回転自在に連結されている。支軸２５は、上下の筐体部材７１、７２間に扉アーム２０を配置した後、下側筐体部材７２側から軸孔７２ｄ、７１ｄに挿通して設けられる。
【００３４】
扉アーム２０のカム部１４は、第１スライダ５１と第２スライダ６１との間に挟まれており、第１カム面１４Ａには第１スライダ５１が、第２カム面１４Ｂには第２スライダ６１が常に圧接している。
【００３５】
カム部１４は、互いに上下に離間した板部１４Ｕ、１４Ｌを有する。両板部１４Ｕ、１４Ｌには、上下に貫通した軸孔１４ｂ、１４ｂが形成されており、軸孔１４ｂ、１４ｂに挿通された支軸２６にコロ（小回転子）２９が回転自在に軸支されている。そして、コロ２９の外周面が第１カム面１４Ａを成している。第２カム面１４Ｂは、カム部１４のコロ２９が設けられている部分から第２カム面１４Ｂ側に円弧状に膨出しつつ扉アーム２０の回動中心に向かって延びている部分からなる。
【００３６】
また、扉アーム２０の基部には、扉アーム２０の開扉側への最大回動範囲を規定する突起部２７が形成されている。この突起部２７が第２スライダ６１の側面に当接することにより、開扉側への扉アーム２０の回動が制限される。そして、扉アーム２０が開扉側に最大限回動したとき、第１カム面１４Ａが第１スライダ５１の傾斜面５１ｅに係止された状態になって、その回動姿勢が保持される。図７（Ａ）はこの時の状態（待機状態）を示している。
【００３７】
図７（Ａ）の状態から、扉アーム２０を閉扉側に回動させていくと、第１カム面１４Ａが第１スライダ５１の傾斜面５１ｅから先端面５１ｄに移動する。傾斜面５１ｅから先端面５１ｄに移動するとき付勢機構５０は一旦圧縮されるが、その後はスプリング５２の弾発力により伸張する。この弾発力によって第１カム面１４Ａが押圧され、扉アーム２０が閉扉側に強制回動される。このときの第２カム面１４Ｂの回動に伴って第２スライダ６１が押圧され、緩衝機構６０のダンパ６２が圧縮されるため、抗力が扉アーム２０に作用する。これらの一連の動作により、扉３の閉まり際すなわち被捕捉装置７が扉アーム２０に係合した後における扉３の急峻な回動が防止され、扉３が強制的に且つ静かに閉められる。
【００３８】
図７（Ｂ）の状態から、扉アーム２０を開扉側に回動させていく場合、第１カム面１４Ａによって第１スライダ５１の先端面５１ｄが押されるため、付勢機構５０のスプリング５２の弾発力が扉アーム２０の開扉側への回動を制する力として働く。その一方で、緩衝機構６０のダンパ６２が圧縮状態から伸張状態に復元しようとするため、ダンパ６２による押圧力がスプリング５２の弾発力とは逆向きに第２カム面１４Ｂに作用する。その結果、スプリング５２による力がダンパ６２の力によって大部分相殺される。扉アーム２０が開扉側に更に回動すると、第１カム面１４Ａが第１スライダ５１の先端面５１ｄから傾斜面５１ｅに移動する。この時点で、第１カム面１４Ａが第１スライダ５１の傾斜面５１ｅに係止され、扉アーム２０が開扉側に最大限回動した姿勢に保持される。これらの一連の動作により、扉３が完全に閉まっている状態から扉３を開扉する際、扉３の取手に大きな力を加えずに済む。
【００３９】
次に、図８乃至図１０を参照して、この実施形態の閉扉装置１のガイド溝２２と従来の閉扉装置のガイド溝１０３の構造の違いについて詳細に説明する。
【００４０】
従来の閉扉装置のガイド溝１０３は、図８（Ｂ）に示すように、被捕捉体３１を受け入れるべく扉アーム１０２の先端に開口した受入部１０３ａから扉３の閉止時に被捕捉体３１が位置する終端部１０３ｂまで回動半径方向に平行に直線的に延びている。
【００４１】
一方、この実施形態の閉扉装置１のガイド溝２２は、図８（Ａ）に示すように、受入部２２ａが扉アーム２０の回動方向において終端部２２ｂよりも扉３側に位置している。受入部２２ａと終端部２２ｂとが滑らかに湾曲した中間部２２ｃにより接続されている。
【００４２】
図８（Ａ）、（Ｂ）に示すように、両扉アーム２０、１０２の全長（回動半径）は互いに等しく、待機姿勢における回動角度も互いに等しいが、図８（Ａ）に示すこの実施形態の扉アーム２０の方が図８（Ｂ）に示す従来の扉アーム１０２よりも手前で被捕捉体３１を捕捉している。これは、図８（Ａ）に示すこの実施形態の閉扉装置１においては、受入部２２ａが扉アーム２０の回動方向において終端部２２ｂよりも扉３側に位置していることによるものである。
【００４３】
また、この実施形態の閉扉装置１のガイド溝２２は、図９に示すように、受入部２２ａから終端部２２ｂに到るまで、ガイド溝２２に沿う被捕捉体３１の軌跡が扉３の回動による被捕捉体３１の軌跡Ａ（円弧）と一致しないように形成されている。この構成により、扉アーム２０が被捕捉体３１を捕捉してから扉３が閉止状態になるまでの間、扉３に対してこれを閉じる向きに強制回動させる力と急峻な回動を防止する制動力とを常に作用させることができる。
【００４４】
これに対し、図１０に示す参考例では、ガイド溝２２の中間部２２ｃに沿う被捕捉体３１の軌跡が扉３の回動による被捕捉体３１の軌跡Ａと一致しているため、被捕捉体３１が中間部２２ｃに位置している間は扉アーム２０から被捕捉体３１に対して何ら力を作用させることができない。
【００４５】
次に、上記のように構成された閉扉装置１の動作について説明する。
被捕捉装置７が扉アーム２０と係合していない時、すなわち、扉３が扉アーム２０と被捕捉装置７とが係合し得る開度よりも大きく開いている時、扉アーム２０は付勢機構５０の弾性力によって待機姿勢に保持されている。扉３を閉扉する際、図１１（Ａ）に示すように、扉３と共に被捕捉装置７が捕捉装置６に接近し、扉３の開度が所定の開度になった時点で、被捕捉装置７の被捕捉体３１が扉アーム２０の先端に開口したガイド溝２２の受入部２２ａに受け入れられる。その後更に扉３を閉めて行くと、扉アーム２０が待機姿勢から扉３を閉じる向きに回動し始める。それと同時に、付勢機構５０の弾性力が、扉アーム２０を扉３を閉じる向きに強制的に回動させる力として働き始める。この扉アーム２０の強制的な回動に伴って、被捕捉体３１がガイド溝２２に沿って摺動しながら扉枠２側に引き寄せられ、扉３が強制的に閉じられていく。この時、捕捉装置６の緩衝機構６０の制動力が作用することにより、扉３の急峻な動きが防止される。これにより、扉３が強制的に且つ静かに閉められる。
【００４６】
一方、図１１（Ｂ）に示すように、扉３が完全に閉まっている状態から扉３を開ける場合、扉３の開扉動作に伴って扉アーム２０が待機姿勢となる向きに回動し始める。それと同時に、緩衝機構６０の反発力が、扉アーム２０を扉３を開く向きに回動させる力として働き始め、扉３を開く向きへの扉アーム２０の回動が促進される。その結果、扉３を手動で開く際に、扉３の取手に大きな力を加えずに済むようになる。緩衝機構６０として直動式ダンパ６２を使用しているため、閉扉する際には扉３を静かに閉じることができ且つ開扉する際には扉３を弱い力で開けることができる閉扉装置１を捕捉装置６を大型化することなく実現できる。
【００４７】
また、扉３が閉扉状態になっていないにも拘わらず、何らかの原因で扉アーム２０が筐体７０内に収容された状態（図７（Ｂ）の状態）になっている場合でも、扉３を一旦閉じてから開くことにより、扉アーム２０を待機状態（図７（Ａ）の状態）に復帰させることができる。図１２はこのときの動作を示している。図１２（Ａ）の状態から扉３を閉じていくと、被捕捉体３１の先端３１ａがガイド面２０ａに沿って下方に案内され、それに伴って被捕捉体３１が押し下げられていく。そして、図１２（Ｂ）に示すように被捕捉体３１の先端３１ａがガイド面２０ａを通過してアーム本体部２１の下端に達した状態を経て、図１２（Ｃ）に示すように被捕捉体３１がガイド溝２２に係合した状態になる。この状態になってから扉３を開くことにより、扉アーム２０を待機状態に復帰させることができる。
【００４８】
以上説明したように、この実施形態の構成によれば、ガイド溝２２の受入部２２ａが扉アーム２０の回動方向において終端部２２ｂよりも扉３側に位置していることにより、扉アーム２０の全長を従来のものよりも大きくすることなく、被捕捉体３１を従来よりも手前で捕捉することができる。そして、受入部２２ａが扉アーム２０の先端から回動半径方向に対して平行に延びており、中間部２２ｃが受入部２２ａの終端から滑らかに湾曲して終端部２２ｂに延びていることにより、被捕捉体３１をガイド溝２２に沿って円滑に摺動させて戸枠２側に引き寄せて、扉３を円滑に閉止状態に導くことができる。また、ガイド溝２２に沿う被捕捉体３１の軌跡が扉３の回動による被捕捉体３１の軌跡Ａと一致しないように形成されているので、扉３に対してこれを閉じる向きに強制回動させる力と急峻な回動を防止する制動力とを常に作用させることができる。
【００４９】
また、扉枠２の上枠部材２Ａに固定される偏平な直方体形状の筐体７０内に扉アーム２０と付勢機構５０と緩衝機構６０を共に収容し、筐体７０の扉３と対面する部分に、扉アーム２０が出入りする開口部７５を設けたことにより、扉枠２に固定される固定要素４０を小型化し、外観的には可動部を扉アーム２０のみとした単純な外観形態の閉扉装置１を実現できる。
【００５０】
また、捕捉装置６が、扉枠２を構成する上枠部材２Ａの蝶番５が取り付けられている側（吊元側）とは反対側（戸先側）の端部に取り付けられていることにより、扉３を開く際、緩衝機構６０の反発力（復元力）を、扉３の開きを促進するための力として最大限有効に働かせることができる。したがって、緩衝機構６０の反発力（復元力）が微弱であっても、扉３を開く際における扉３の開きを助ける効果が得られる。
【００５１】
また、付勢機構５０による弾性力と緩衝機構６０による緩衝力を扉アーム２０に作用させるためのカム部１４を、扉アーム２０と一体化したことにより、部品点数を削減できる。筐体７０内に収容される部品の点数が少なくなることにより、筐体７０を小型化できる。また、付勢機構５０と、緩衝機構６０とを、カム部１４を挟んで互いに直列に並べて設けたことにより、筐体７０の短寸方向の幅寸法及び高さ寸法を小さくできるので、取り付けスペースが狭く限られた扉枠２に捕捉装置６を取り付ける上で極めて有利である。筐体７０の短寸方向の幅寸法及び高さ寸法を小さくできた結果、上枠部材２Ａに設けられる戸当り４Ｂの設置スペースＳを利用して、上枠部材２Ａの下面部に筐体７０を取り付けることができる。上枠部材２Ａの戸当り４Ｂが嵌め付けられる溝２ａに筐体７０の上面部に設けられた突起部７１ｅが丁度嵌るように構成したので、上枠部材２Ａに対する筐体７０の取り付け精度を高めることができる。
【００５２】
なお、上記実施形態では、本発明の閉扉装置を左開きタイプの扉に適用した例を示したが、右開きタイプの扉にも有効に適用できることはいうまでもない。
【符号の説明】
【００５３】
１  閉扉装置
２  扉枠
３  扉
６  捕捉装置
７  被捕捉装置
２０  扉アーム
２２  ガイド溝
２２ａ  受入部
２２ｂ  終端部
２２ｃ  中間部
３１  被捕捉体
６０  緩衝機構
【図１】
0005726456.tif 000002
【図２】
0005726456.tif 000003
【図３】
0005726456.tif 000004
【図４】
0005726456.tif 000005
【図５】
0005726456.tif 000006
【図６】
0005726456.tif 000007
【図７】
0005726456.tif 000008
【図８】
0005726456.tif 000009
【図９】
0005726456.tif 000010
【図１０】
0005726456.tif 000011
【図１１】
0005726456.tif 000012
【図１２】
0005726456.tif 000013
【図１３】
0005726456.tif 000014